(57)【特許請求の範囲】
【請求項１】
操作用装置と、複数の議員に対応して設置された複数の端末装置との間が回線で接続され、且つ、前記操作用装置を介して各前記端末装置同士で会議を行う議場装置において、
前記操作用装置は、中央処理装置と、音声信号を入出力する音声入出力装置と、各前記端末装置から送られた各音声信号を音声処理するデジタルシグナルプロセッサと、記憶装置とを少なくとも備え、
一方、各前記端末装置は、音声信号を出力するスピーカと、音声信号を入力するマイクロホンとを接続した音声入出力装置を少なくとも備えており、
前記操作用装置の前記音声入出力装置から所定の周波数，所定のレベルを組みとし、この組における前記所定の周波数，所定のレベルをそれぞれ段階的に順次可変して設定した複数組みの音声信号を各前記端末装置の前記スピーカ側に各組みごとに送信して、このスピーカから出力された各組みの音声を各前記端末装置の前記マイクロホンで各組みごとにピックアップし、このマイクロホンでピックアップした各組みの音声信号を前記操作用装置の前記デジタルシグナルプロセッサ側に送信し、このデジタルシグナルプロセッサで音声処理した各組みの音声信号にハウリングが発生しているか否かを判定し、ハウリングを起こしている組みの音声信号に対応した前記所定の周波数、所定のレベルを端末ハウリングデータとして各前記端末装置ごとに前記記憶装置に記憶させることを特徴とする議場装置。
【請求項２】
請求項１記載の議場装置において、
前記端末装置のマイクロホンから入力された議員の音声を前記操作用装置の前記デジタルシグナルプロセッサで音声処理し、このデジタルシグナルプロセッサで音声処理された音声信号を前記記憶装置に記憶させた該当端末装置の前記端末ハウリングデータと比較してハウリングが発生しているか否かを判断し、ハウリングが発生している場合には前記デジタルシグナルプロセッサでハウリングの発生しない適正な音声信号に変換して各前記端末装置に送信することを特徴とする議場装置。
【発明の詳細な説明】
【０００１】
【発明の属する技術分野】
本発明は、多数の議員から構成される議会における審議、投票、発言等の議会運営処理を円滑に行い得るように電子化した議場装置に関する。
【０００２】
【従来の技術】
県議会、区議会、市町村議会等のような議会では、種々の審議や投票が行われているが、このような議会運営処理は例えば審議における発言では議員が挙手し、これを議長が指名して発言を許可したり、投票では起立や挙手等で賛成または反対を表明し、この起立や挙手を事務局の人が目で確認しながら数える等というように従来ほとんど人手により行われている。
【０００３】
また、議会では、発言した人をカメラで撮影し、クローズアップして、ロビー等の外部にあるモニタ等に表示し、外部の人に見せるなどということも行っているが、このようなカメラによる撮影は従来人手により行っている。このようなカメラによる撮影では、議会は比較的広く、発言する議員も散らばっているため、１台のカメラだけでは発言者を適確に撮影してクローズアップすることができず、複数のカメラを使用し、各カメラにオペレータを付けて行っている。
【０００４】
【発明が解決しようとする課題】
上述したように、従来の議会運営処理は、ほとんど人手によって行われているため、例えば投票において起立や挙手で表明される賛成または反対を数える場合に数え間違い等の誤りが発生したり、また発言を行う場合にも議長が特定の議員を指名したにも関わらず、指名されない他の議員も指名されたと勘違いし誤って同時に発言してしまい、発言内容が混乱したり、更に発言者をカメラで撮影する場合にもオペレータを使用して人手でカメラを操作しているため、複数のカメラに対応して複数のオペレータが必要となり、非経済的である等という種々の問題が発生している。
【０００５】
本発明は、上記に鑑みてなされたもので、その目的とするところは、議会運営処理の効率化、経済化、操作性の向上、利便性を達成すべく議会運営処理の電子化を図った議場装置を提供することにある。
【０００６】
【課題を解決するための手段】
上記目的を達成するため、請求項１記載の本発明は、操作用装置と、複数の議員に対応して設置された複数の端末装置との間が回線で接続され、且つ、前記操作用装置を介して各前記端末装置同士で会議を行う議場装置において、
前記操作用装置は、中央処理装置と、音声信号を入出力する音声入出力装置と、各前記端末装置から送られた各音声信号を音声処理するデジタルシグナルプロセッサと、記憶装置とを少なくとも備え、
一方、各前記端末装置は、音声信号を出力するスピーカと、音声信号を入力するマイクロホンとを接続した音声入出力装置を少なくとも備えており、
前記操作用装置の前記音声入出力装置から所定の周波数，所定のレベルを組みとし、この組における前記所定の周波数，所定のレベルをそれぞれ段階的に順次可変して設定した複数組みの音声信号を各前記端末装置の前記スピーカ側に各組みごとに送信して、このスピーカから出力された各組みの音声を各前記端末装置の前記マイクロホンで各組みごとにピックアップし、このマイクロホンでピックアップした各組みの音声信号を前記操作用装置の前記デジタルシグナルプロセッサ側に送信し、このデジタルシグナルプロセッサで音声処理した各組みの音声信号にハウリングが発生しているか否かを判定し、ハウリングを起こしている組みの音声信号に対応した前記所定の周波数、所定のレベルを端末ハウリングデータとして各前記端末装置ごとに前記記憶装置に記憶させることを特徴とする議場装置である。
【０００７】
また、請求項２記載の本発明は、請求項１記載の議場装置において、
前記端末装置のマイクロホンから入力された議員の音声を前記操作用装置の前記デジタルシグナルプロセッサで音声処理し、このデジタルシグナルプロセッサで音声処理された音声信号を前記記憶装置に記憶させた該当端末装置の前記端末ハウリングデータと比較してハウリングが発生しているか否かを判断し、ハウリングが発生している場合には前記デジタルシグナルプロセッサでハウリングの発生しない適正な音声信号に変換して各前記端末装置に送信することを特徴とする議場装置である。
【０００８】
【発明の実施の形態】
以下、図面を用いて本発明の実施の形態について説明する。図１は、本発明の一実施形態に係る議場装置の構成を示すブロック図である。尚、本明細書では、審議中の議題、議案等を審議名と記載する。同図に示す議場装置は、多数の議員から構成される議会における審議、投票、発言等の議会運営処理を円滑に行い得るように電子化したものであり、このように種々の議会運営処理を操作および制御するための操作用パーソナルコンピュータ（以下、操作用ＰＣと略称する）１、多数の議員の各々に対してその議席に設けられ、議会で審議した議題についての採決に対して各議員が賛成や反対を表明するために操作されるスイッチ、発言を申請するためのスイッチ、マイクロホンやスピーカ等が備えられている多数の議席用端末１１（１１ａ，１１ｂ，・・・，１１ｚ）、操作用ＰＣ１と議席用端末１１との間に接続され、操作用ＰＣ１からの指示等に従った各議席用端末１１との通信、各議席用端末１１からの要求の検出等を行うシステムコントローラ３、操作用ＰＣ１と高速追従カメラ５１との間に接続され、操作用ＰＣ１からの指示に従って高速追従カメラ５１で発言者を追従撮影するように制御する高速キャッチシステム５、各議員の発言等を録音するＭＤレコーダ７、議長のそばに設けられ、議長が操作する議長用ＰＣ９を有する。
【０００９】
操作用ＰＣ１は、データ入出力装置１ａ、中央処理装置１ｂ、記憶装置１ｃおよび入力・表示装置１ｄから構成されている。システムコントローラ３は、データ入出力装置３ａ、中央処理装置３ｂ、記憶装置３ｃ、デジタルシグナルプロセッサ（以下、ＤＳＰと略称する）３ｄおよびデータ・音声入出力装置３ｅから構成されている。高速キャッチシステム５は、データ入出力装置５ａおよび制御装置５ｂから構成されている。ＭＤレコーダ７は、データ入出力装置７ａ、制御装置７ｂおよびＭＤドライブ７ｃから構成されている。各議席用端末１１は、データ・音声入出力装置１１Ａ、制御装置１１Ｂ、音声出力部１１Ｃ、音声入力部１１Ｄ、信号入力部１１Ｅおよび表示部１１Ｆから構成されている。
【００１０】
図２は、図１に示した議場装置を構成する操作用ＰＣ１、システムコントローラ３、高速キャッチシステム５、ＭＤレコーダ７、多数の議席用端末１１等からなる各構成部を議会における配置状態で更に具体的に示した図である。図２において、各議席用端末１１はシステムコントローラ３から伸びた３本の信号線、すなわち３チャンネルの信号線にそれぞれグループ分けされて接続され、各議員や議長等の議席に対応した位置に設置されている。
【００１１】
なお、操作用ＰＣ１に設けられている入力・表示装置１ｄは、タッチパネルで構成されているものであり、このタッチパネル式の入力・表示装置１ｄには後述するように全議員の議席用端末１１が議員の議席位置に対応して表示されているが、このタッチパネル式の入力・表示装置１ｄは図２では操作用ＰＣ１から離れて事務局のある場所にも設置されている。
【００１２】
また、図２において、操作用ＰＣ１にはＬＡＮ２１を介してパソコン（ＰＣ）１３が接続され、このパソコン（ＰＣ）１３にはプロジェクタ１５が接続され、このプロジェクタ１５で電子投票結果、すなわち投票総数、賛成数、反対数等の投票結果を大きく拡大して表示するようになっている。更に、システムコントローラ３にはＶＯＳＳ２７を介してスピーカ２９が接続され、このスピーカ２９で議場内、傍聴席、議場ロビー等に議員の発言等を増大して出力するようになっている。また更に、操作用ＰＣ１にはパソコン（ＰＣ）１７が接続され、このパソコン（ＰＣ）１７は庁内ＬＡＮ１９に接続され、この庁内ＬＡＮ１９を介して庁内の各部と通信し得るようになっている。
【００１３】
図３は、議席用端末１１の操作面の構成を示す平面図である。この操作面上には各議員によって操作される各種スイッチ、表示ランプ、マイクロホン、スピーカ等が設けられ、議員はこれらのスイッチを操作して、電子投票の賛成や反対を表明したり、発言を申請する等のことを行ったり、ランプの表示を見て、各種状態を把握したり、スピーカから他の議員の発言を聴いたり、自分の発言をマイクロホンに入力する等の種々の処理を行うようになっている。
【００１４】
具体的には、議席用端末１１の操作面には、発言を申請するための発言申請スイッチ３１、賛成を表明するための賛成スイッチ３３Ｓおよび対応する賛成ランプ３３Ｌ、反対を表明するための反対スイッチ３５Ｓおよび対応する反対ランプ３５Ｌ、賛成や反対を取り消すための取消スイッチ３７Ｓおよび対応する取消ランプ３７Ｌ、議員の発言をピックアップして電気信号に変換するマイクロホン３９、このマイクロホンの状態を表示するマイク状態表示ランプ４１、議会が投票中であることを示す投票中ランプ４３、審議中であることを示す審議中ランプ４５、他の議員の発言を出力するスピーカ４９、スピーカ４９からの出力を調整するスライドボリューム４７、イヤホンを差し込むためのイヤホンジャック５３、議員が出席した場合に操作する出席スイッチ５５等が設けられている。
【００１５】
なお、図３に示す議席用端末１１の操作面に設けられている構成要素と図１に示した議席用端末１１の構成要素との対応では、音声出力部１１Ｃはスピーカ４９、イヤホンジャック５３であり、音声入力部１１Ｄはマイクロホン３９であり、信号入力部１１Ｅは発言申請スイッチ３１、賛成スイッチ３３Ｓ、反対スイッチ３５Ｓ、取消スイッチ３７Ｓ、出席スイッチ５５であり、表示部１１Ｆは賛成ランプ３３Ｌ、反対ランプ３５Ｌ、取消ランプ３７Ｌ、マイク状態表示ランプ４１、投票中ランプ４３、審議中ランプ４５である。
【００１６】
図４は、図１に示した議場装置を構成している各構成部の処理手順を定めている各ソフトウェアの構成を示す説明図である。同図に示すように、操作用ＰＣ１は、画面処理、状態管理処理、ファイル管理処理、タイマ・集計演算処理、通信処理等のソフトウェアを有し、システムコントローラ３は、起動入出力処理、通信処理、音声信号処理等のソフトウェアを有し、各議席用端末１１は、通信処理、スイッチ（ＳＷ）／表示・ゲート処理等のソフトウェアを有し、ＭＤレコーダ７は、通信処理、メカコン処理等のソフトウェアを有し、プロジェクタ１５用のパソコン（ＰＣ）１３は画面処理、通信処理等のソフトウェアを有し、議長用ＰＣ９は、画面処理、通信処理等のソフトウェアを有する。
【００１７】
図５は、図１に示した多数の議席用端末１１ａ，１１ｂ，・・・，１１ｚとシステムコントローラ３との通信タイミングを示す図である。多数の議席用端末１１ａ，１１ｂ，・・・，１１ｚは、図１に示すように３本の信号線９１，９２，９３に分割されて接続されている。すなわち、第１の信号線９１には議席用端末１１ａ，１１ｂ，・・・，１１ｇが接続され、第２の信号線９２には議席用端末１１ｊ，１１ｋ，・・・，１１ｐが接続され、第３の信号線９３には議席用端末１１ｓ，１１ｔ，・・・，１１ｚが接続され、これらの各群分けされた議席用端末１１は各信号線に応じて複数の通信チャンネルを介してシステムコントローラ３と通信するようになっている。
【００１８】
具体的には、図５に示すように、第１の信号線９１に接続された第１群の議席用端末１１ａ，１１ｂ，・・・，１１ｇは第１の通信チャンネル（ｃｈ１）を使用してシステムコントローラ３と通信を行い、第２の信号線９２に接続された第２群の議席用端末１１ｊ，１１ｋ，・・・，１１ｐは第２の通信チャンネル（ｃｈ２）を使用してシステムコントローラ３と通信を行い、第３の信号線９３に接続された第３群の議席用端末１１ｓ，１１ｔ，・・・，１１ｚは第３の通信チャンネル（ｃｈ３）を使用してシステムコントローラ３と通信を行うようになっている。
【００１９】
システムコントローラ３は、これらの３つの通信チャンネルｃｈ１，２，３を並列に使用して複数の議席用端末１１と同時に並列処理を行うようになっている。具体的には、これらの通信チャンネルｃｈ１，２，３を同時に使用して、システムコントローラ３から議席用端末１１にステータスリクエストまたは指示・状態コマンドが送信されると、これに対する各通信チャンネルの議席用端末１１からの応答として正常受信の場合には議席用端末１１からシステムコントローラ３に対してステータスが返送され、異常受信の場合にはＮＡＫが返送されるようになっている。
【００２０】
図６は、図１の議場装置に使用されている操作用ＰＣ１に設けられているタッチパネル式の入力・表示装置１ｄのタッチパネル画面の表示構成を示す図であり、同図に示すタッチパネル画面に現れている表示文字をタッチすることによりこの表示文字の内容が操作用ＰＣ１により実施されるようになっている。このタッチパネル画面では、上部および右部を除く全体に多数の議員の各議席用端末１１がそれぞれ各議員の議席位置に対応した表示座標位置に端末マークＭ１１として多数表示されるとともに、この端末マークＭ１１の中には各議員の名前および所属党名が表示されている。なお、この表示は本発明の議席マーク表示手段を構成しているものである。また、多数の端末マークＭ１１を除く画面の上部および右部には種々の議会運営文字が表示されている。
【００２１】
図６に示すタッチパネル画面上に現れている表示文字の内容について逐次説明する。図６において、１０１には「開会中」と表示され、画面が議会モードであり、議会が開会中であって議会が運営されていることを示している。１０２は現在の日時を表示しており、１０３は「時計を止める」という表示文字であり、これをタッチすると時計が止まり、１０２の現在日時はその時点で停止する。１０４は「データ保存」という表示文字であり、これをタッチすると、保守、点検用の記録ファイルがフロッピディスクに書き込まれる。１０５は「会議終了」という表示文字であり、これをタッチすると、議会の運営が終了し、画面はメイン画面に戻る。
【００２２】
１０６は現在審議している内容を表示しており、この例では、「ゆめみ市  開発事業」という表示が行われている。１０７は議会の議員の定員を示しており、定員の登録は運営準備画面で行われる。１０８は出席議員の数を表示している。１０９は「出席確認」という表示文字を示し、この「出席確認」という表示文字をタッチすると、１０８の出席議員の数が表示され、また出欠の登録も変更できる。１１０は「休憩」という表示文字を示し、本議会を休憩する時にタッチされる。１１１は「閉会」という表示文字を示し、本議会を閉会する時にタッチされる。
【００２３】
１１２および１１３は、それぞれ「次の審議へ」および「審議選択」という表示文字を示し、「次の審議へ」をタッチすると、審議内容の一覧が後述するようにウインドウで現れ、このウインドウから所望の審議内容を指定してから、「審議選択」をタッチすると、この選択した審議内容が１０６に表示される。１１４は「投票」という表示文字を示し、これをタッチすると、投票の画面に移行する。ここで「審議選択」は「議案選択」、「次の審議へ」は「次の議案へ」としても良い（以下、同様）。
【００２４】
１１５は外部に設けられた前記スピーカ２９の主音量を調整する部分であり、「主音量」「上」「下」という表示文字が示されている。１１６は発言時間の設定および表示を行う部分である。「開始」という表示文字をタッチすると、発言時間の残り時間の計数が開始し、「一時停止」という表示文字をタッチすると、発言時間の残り時間の計数が一時停止され、「時間設定」という表示文字で発言時間の残り時間を変更することができる。１１７はＭＤレコーダ７の動作状態および合計録音残時間を表示する部分である。
【００２５】
図６に示すタッチパネル画面において、ほぼ中央の全体に表示されている多数の端末マークＭ１１の下方には１２０の「演壇」があり、その下には１２１の「議長」および１２２の「副議長」が示されているが、これらもそれぞれ端末マークＭ１１で表示されているように議席用端末１１が設けられている。また、複数の「理事」という表示もある。そして、タッチパネル画面の一番下側における１１８はメーク接点の制御を行う表示文字であり、この表示文字をタッチすることによりメーク接点の入り切りが行われる。この中の「開会ブザー」は議会の開会を示すブザーが鳴動することを示し、「開会中表示」は議会中表示器を点灯することを示している。１１９は議員の発言申請および発言許可の一斉取り消しを行う表示文字であり、新しい審議に入る場合等に発言信号および発言許可をすべて取り消すために使用される。
【００２６】
図７は、操作用ＰＣ１の入力・表示装置１ｄのタッチパネル画面に表示された審議選択画面を示す図である。このタッチパネル画面は、図６に示した議会モードの画面において表示文字１１３の「審議選択」をタッチして選択すると、図７（ａ）に示すような審議選択ウインドウが審議選択サブメニューとして表示されるものである。この審議選択ウインドウは、図７（ｂ）に拡大して示すように、審議名一覧が表示されており、上下ボタンで審議名を選択した後、設定ボタンをタッチ操作することにより選択した審議が確定される。また、戻るボタンを操作すると、元の議会モード画面に戻ることができる。
【００２７】
図８は、入力・表示装置１ｄのタッチパネル画面に表示された電子投票画面を示す図である。この電子投票画面は、図６の議会モード画面において表示文字１１４の「投票」をタッチして選択することにより、表示されるものである。この電子投票画面は、図６の議会モード画面において右側部分の表示が異なるものである。この右側部分に表示された表示文字１３１〜１３６および上部に示された表示文字１３７は、それぞれ示す「議長マイク」「投票締切」「結果表示」「投票中０分２２秒経過」「投票総数、賛成、反対」「議長採決」および「投票終了」を示している。
【００２８】
表示文字１３５の「投票総数、賛成、反対」にはそれぞれの票数が２１，１４，７として示されている。表示文字１３６の「議長採決」は、表示文字１３５の「投票総数、賛成、反対」の結果を見て、賛成または反対または取り消し等の採決を行う。
【００２９】
電子投票は、各議員の議席用端末１１にそれぞれ備えられた賛成スイッチ３３Ｓ、反対スイッチ３５Ｓ、取消スイッチ３７Ｓを各議員が操作すると、この各スイッチからの賛成、反対、取り消し信号がシステムコントローラ３によって検出され、この検出した賛成信号、反対信号、取り消し信号が操作用ＰＣ１に供給され、操作用ＰＣ１においてこれらの各信号を集計することにより賛成、反対、取り消しの数をそれぞれ算出し、その算出した賛成数、反対数、取り消し数を図８に示す電子投票画面における表示文字１３５で示すように表示するようになっている。
【００３０】
また、電子投票の結果は、上述したように集計した賛成、反対、取り消しの合計数のみでなく、各議員毎の賛成、反対、取り消し等もわかるようになっている。この各議員毎の賛成、反対、取り消しの表示は、各議員の議席用端末１１をタッチパネル画面上で表している各端末マークＭ１１を色分けして、例えば賛成の場合には端末マークＭ１１を白色で表示し、反対の場合には緑色で表示するということにより行っている。すなわち、図８の電子投票画面では、各端末マークＭ１１において白抜きのものは賛成を示し、斜線を施されているもの（実際には緑色等）は反対を示している。具体的には図８の電子投票画面において左端に表示されている自民党の五十嵐議員と八田議員のそれぞれの端末マークＭ１１は白抜きとなっていて、賛成であり、その右隣りの自民党の鯉田議員の端末マークＭ１１は斜線を施されていて、反対であることを示している。
【００３１】
システムコントローラ３による各議席用端末１１の賛成信号、反対信号、取り消し信号の検出は、システムコントローラ３のデータ・音声入出力装置３ｅから前記通信チャンネルｃｈ１，２，３を使用して第１、第２、第３の信号線９１，９２，９３から各議席用端末１１にそれぞれアクセスし、これにより各議席用端末１１の賛成スイッチ３３Ｓ、反対スイッチ３５Ｓ、取消スイッチ３７Ｓからの各信号を検出することにより行うことができる。
【００３２】
図９は、電子投票における議席用端末１１、システムコントローラ３および操作用ＰＣ１の間の処理を示す図である。同図に示すように、議席用端末１１が賛成スイッチ３３Ｓを操作すると、対応する賛成ランプ３３Ｌはまず赤色になり、この賛成スイッチ３３Ｓからの賛成信号がシステムコントローラ３で検出され、システムコントローラ３から操作用ＰＣ１に送られる。操作用ＰＣ１においてこの賛成信号が累積集計されるとともに、対応する議員の端末マークＭ１１が白色に表示されて賛成であることが示される。操作用ＰＣ１においては、賛成が確認されると、操作用ＰＣ１から賛成確認信号がシステムコントローラ３を介して議席用端末１１に返送され、議席用端末１１の賛成ランプ３３Ｌは赤色から緑色に変化し、賛成が確認されたことが議員に示される。
【００３３】
議員が議席用端末１１の反対スイッチ３５Ｓを操作した場合には、図９に示すように、反対ランプ３５Ｌがまず赤色になり、この反対信号がシステムコントローラ３で検出され、システムコントローラ３から操作用ＰＣ１に送られる。操作用ＰＣ１では、この反対信号が累積集計されるとともに、対応する議員の端末マークＭ１１が緑色に表示されて反対であることが示される。また、操作用ＰＣ１においては、反対が確認されると、操作用ＰＣ１から反対確認信号がシステムコントローラ３を介して議席用端末１１に返送され、議席用端末１１の反対ランプ３５Ｌは赤色から緑色に変化し、反対が確認されたことが議員に示される。
【００３４】
更に、議員が議席用端末１１の取消スイッチ３７Ｓを操作した場合には、取消ランプ３７Ｌが赤色になり、取消信号がシステムコントローラ３で検出され、システムコントローラ３から操作用ＰＣ１に送られる。操作用ＰＣ１では、取り消しを確認すると、操作用ＰＣ１から取り消し確認信号がシステムコントローラ３を介して議席用端末１１に返送され、議席用端末１１の取消ランプ３７Ｌは消灯する。
【００３５】
次に、議員からの発言申請処理について図１０および図１１を参照して説明する。まず、図１０に示すフローチャートを参照して、発言申請処理について説明する。発言を希望する議員が自分の議席用端末１１の発言申請スイッチ３１を操作したとする。システムコントローラ３では、議員の議席用端末１１において発言を申請したものがあるか否をチェックし（ステップＳ１０１１）、発言申請スイッチ３１からの発言申請信号を検出すると、この検出した発言申請データを操作用ＰＣ１に送信する（ステップＳ１０１３）。
【００３６】
操作用ＰＣ１は、システムコントローラ３から発言申請信号を受信すると、該当する議員の端末マークＭ１１に例えば手のマーク等の発言申請マークを表示する（ステップＳ１０１５）。なお、発言申請マークが複数ある場合には、その発言申請マークに順番が付けられる。
【００３７】
それから、操作用ＰＣ１は、タッチパネル画面の議席マークに対応する端末マークＭ１１のうち、発言申請マークのある端末マークＭ１１が指定すべくタッチされたか否かをチェックする（ステップＳ１０１７）。なお、ステップＳ１０１１において、発言申請がない場合も、ステップＳ１０１７に進み、端末マークＭ１１がタッチされたか否かがチェックされる。
【００３８】
発言申請マークの端末マークＭ１１がタッチされて、この端末マークＭ１１の議員が指定されると、操作用ＰＣ１は、議席に対応する端末マークＭ１１の表示を発言許可状態に設定する（ステップＳ１０１９）。それから、この発言申請した議員の議席用端末１１のマイクロホン３９をオンにするためのマイクオン信号をシステムコントローラ３に送信し、このマイクオン信号は更にシステムコントローラ３から該当議員の議席用端末１１に送信され（ステップＳ１０２１）、該議席用端末１１のマイクロホン３９をオンにするとともに、マイク状態表示ランプ４１もオンにして、発言が許可されたことを議員に示す（ステップＳ１０２３）。
【００３９】
図１１は、上述したように発言を許可された議員の発言時間を設定するタッチパネル画面を示す図である。同図に示す発言時間設定画面は、図６に示した議会モード画面において表示文字１１６の「発言時間」をタッチ操作することにより、同図に示すように発言時間設定ウインドウがサブメニューとして表示される。この発言時間設定ウインドウは、図１１（ｂ）に拡大して示すように、複数の発言者の一覧と各発言者に設定されている発言時間を表示している。各議員は、発言を許可されると、このように設定されている発言時間が図６に示す発言時間に表示され、発言の経過とともに残り時間等が表示されるようになっている。
【００４０】
次に、図１２に示すフローチャートを参照して、発言者追従撮影動作について説明する。この発言者追従撮影動作は、発言を希望する議員が自分の議席用端末１１に設けられている発言申請スイッチ３１を操作し、発言申請を行うと、発言申請に対する発言申請マークがこの議員に対応する端末マークＭ１１に重ねて表示されるので、この発言申請マークの表示された端末マークＭ１１を議長がタッチして指定し、この端末マークＭ１１の議員に対して発言を許可すると、このタッチされた端末マークＭ１１の議席位置から発言者の位置がわかるので、この発言者の位置を高速キャッチシステム５を介して高速追従カメラ５１に供給すると、高速追従カメラ５１は発言者の方を向いて発言者をクローズアップ撮影し、この撮影した発言者の画像はロビー等に設けられたモニタに写し出されるというものである。
【００４１】
図１２においては、まず初期設定が行われる（ステップＳ１２１１）。この初期設定では、議員席の位置に対応したカメラ位置（角度、ズーム、フォーカス等）が入力され、予め操作用ＰＣ１の記憶装置１ｃに設定される。次に、操作用ＰＣ１の入力・表示装置１ｄのタッチパネル画面に表示されている議員の端末マークＭ１１がタッチされたか否かがチェックされる（ステップＳ１２１３）。更に詳しくは、上述したように、発言を希望している議員が自分の議席用端末１１上に設けられている発言申請スイッチ３１を操作すると、この発言申請スイッチ３１からの発言申請信号がシステムコントローラ３のデータ・音声入出力装置３ｅで受信されて検出され、この結果操作用ＰＣ１の入力・表示装置１ｄのタッチパネル画面の該当する議員の端末マークＭ１１上に発言申請マークが表示されるので、議長または事務局員はこの発言申請マークの表示された端末マークＭ１１をタッチして選択することになる。
【００４２】
このように、タッチパネル画面の上の発言申請マークのある端末マークＭ１１がタッチされて選択されると、該当する議員の議席用端末１１上に設けられているマイクロホン３９が操作用ＰＣ１の制御によりシステムコントローラ３を介してオンされ、議席用端末１１のマイク状態表示ランプ４１は点灯し、発言状態になる（ステップＳ１２１５）。このように発言申請した議員が指定され、その議席用端末１１のマイクロホン３９がオンとなると、この議員の議席位置に対応したカメラ位置情報が操作用ＰＣ１から高速キャッチシステム５に送信される（ステップＳ１２１７）。高速キャッチシステム５は、この位置情報に基づいて制御装置５ｂにより高速追従カメラ５１が発言申請した議員の方を向くように制御し、これにより発言者が高速追従カメラ５１で撮影され、ロビー等にあるモニタに写し出される（ステップＳ１２１９）。
【００４３】
次に、図１３に示すフローチャートを参照して、議員の出席確認動作について説明する。議員は議会に出席して、自分の議席に座ると、自分の議席用端末１１上に設けられている出席スイッチ５５をオンし、出席信号を出力し、これにより出席したことを表示する（ステップＳ１３１１）。なお、この出席スイッチ５５は、図１の構成図の議席用端末１１では信号入力部１１Ｅに対応するものである。
【００４４】
この議席用端末１１からの出席信号はシステムコントローラ３に送信され（ステップＳ１３１３）、システムコントローラ３はこの出席信号を集計し、操作用ＰＣ１に送信する（ステップＳ１３１５）。操作用ＰＣ１は、この出席信号に基づいて議員が出席か否かを判定し、出席の場合には、タッチパネル画面上の該当する議員の端末マークＭ１１を出席状態に設定し（ステップＳ１３１９）、また出席でない場合には、タッチパネル画面上の端末マークＭ１１を欠席状態に設定する（ステップＳ１３２１）。以上の動作をすべての議員の議席用端末１１について行う（ステップＳ１３２３）。
【００４５】
次に、図１４に示すフローチャートを参照して、各議員の議席用端末１１の接続状態を確認して表示する動作について説明する。
【００４６】
まず、操作用ＰＣ１のタッチパネル画面上の各議員の議席用端末１１を表す端末マークＭ１１をすべて未接続状態にする（ステップＳ１４１１）。それから、システムコントローラ３は、データ・音声入出力装置３ｅから順次各議席用端末１１にアクセスし、各議席用端末１１に所定の端末接続状態確認データを送信する。各議席用端末１１はこの端末接続状態確認データを受信すると、接続状態データをシステムコントローラ３に返送する。システムコントローラ３は、このように所定の端末接続状態確認データを議席用端末１１に送信し、これに対して議席用端末１１から返送される接続状態データを受信することにより各議席用端末１１の接続状態を確認することができる。システムコントローラ３は、このようにして各議席用端末１１の接続状態を確認すると、この確認した各議席用端末１１の接続状態データを操作用ＰＣ１に送る（ステップＳ１４１３）。
【００４７】
操作用ＰＣ１は、システムコントローラ３から供給される各議席用端末１１の接続状態データに基づき各議席用端末１１が接続状態にあるか否かをチェックする（ステップＳ１４１５）。議席用端末１１が接続状態にある場合には、この接続状態にある議席用端末１１を表示しているタッチパネル画面上の端末マークＭ１１を接続状態に表示する（ステップＳ１４１７）。
【００４８】
次に、図１５に示すフローチャートを参照して、発言者の音声を聞き取り易い最適なレベルに調整したり、突発音や雑音等を抑制するアナウンスプロセッサ機能について説明する。
【００４９】
図１５では、発言している議員の議席用端末１１のマイクロホン３９から入力される入力音声をシステムコントローラ３で受信し、この受信した音声信号をシステムコントローラ３のデジタルシグナルプロセッサ（ＤＳＰ）３ｄで処理する（ステップＳ１５１１）。ＤＳＰ３ｄで処理された音声信号は、記憶装置３ｃに記憶されているアナウンスプロセッサの補正データと比較され（ステップＳ１５１３）、この比較結果に基づき、補正が必要か否かを判断し（ステップＳ１５１５）、補正が必要な場合は、大き過ぎる音声信号を小さく抑制し、小さ過ぎる音声信号を大きく増大して適切な音声信号に調整するとともに、突発音、雑音、音声以外の音を抑制するようにＤＳＰ３ｄにおいて適正な音声に補正する（ステップＳ１５１７）。それから、この補正された適切な音声信号をシステムコントローラ３から各議席用端末１１の音声出力部１１Ｃに供給し、スピーカ４９から出力する（ステップＳ１５１９）。
【００５０】
次に、図１６に示すフローチャートを参照して、各議席用端末１１とシステムコントローラ３との通信状態および各議席用端末１１における音声信号の入出力状態の自動点検動作について説明する。
【００５１】
図１６では、まず操作用ＰＣ１のタッチパネル画面で自動点検開始をタッチして自動点検処理を開始させる（ステップＳ１６１１）。操作用ＰＣ１は、システムコントローラ３に対して議席用端末１１を点検開始する指示を供給する（ステップＳ１６１３）。システムコントローラ３は、この指示に従って議席用端末１１にアクセスし、議席用端末１１に所定の通信状態確認データを送信し、議席用端末１１からの応答信号を受信することにより議席用端末１１の通信状態をチェックする（ステップＳ１６１５）。操作用ＰＣ１は、この通信チェックにより議席用端末１１との通信が正常か否かを判定する（ステップＳ１６１７）。通信が正常でない場合には、システムコントローラ３は、議席用端末１１の通信異常を操作用ＰＣ１に送り（ステップＳ１６１９）、操作用ＰＣ１は、この通信異常の議席用端末１１に対応するタッチパネル画面の端末マークＭ１１に対して通信異常の表示を行う（ステップＳ１６２１）。
【００５２】
また、システムコントローラ３は、該当する議席用端末１１に所定の音声信号を供給し、該議席用端末１１の音声出力部１１Ｃであるスピーカ４９から音声を出力させる（ステップＳ１６２３）。この音声出力部１１Ｃから出力された音声を議席用端末１１の音声入力部１１Ｄであるマイクロホン３９でピックアップして入力させ、この入力された音声信号を信号線を介してシステムコントローラ３で受信し、システムコントローラ３のＤＳＰ３ｄで音声処理する（ステップＳ１６２５）。そして、このＤＳＰ３ｄで処理した音声信号が正常か否かを判定する（ステップＳ１６２７）。音声入力が正常でない場合には、システムコントローラ３は該議席用端末１１の音声異常を操作用ＰＣ１に送信する（ステップＳ１６２９）。操作用ＰＣ１は、この音声異常の議席用端末１１に対応するタッチパネル画面の端末マークＭ１１に対して音声異常の表示を行う（ステップＳ１６３１）。上述した処理をすべての議席用端末１１について行う（ステップＳ１６３３）。
【００５３】
次に、図１７に示すフローチャートを参照して、各議席用端末１１におけるハウリングの自動測定機能について説明する。このハウリング自動測定機能は、システムコントローラ３から各議席用端末１１に所定の周波数、所定のレベルの音声信号を送り、議席用端末１１においてこの音声信号をスピーカ４９から出力させ、このスピーカ４９から出力された音声をマイクロホン３９でピックアップし、このピックアップした音声信号をシステムコントローラ３に戻し、システムコントローラ３のＤＳＰ３ｄで音声処理してハウリングが発生しているか否かを判定し、ハウリングを起こしている場合には、前記所定の周波数、所定のレベルを端末ハウリングデータとしてシステムコントローラ３の記憶装置３ｃに記憶しようとするものである。
【００５４】
図１７においては、まず操作用ＰＣ１のタッチパネル画面で測定したい議席用端末１１の端末マークＭ１１をタッチする（ステップＳ１７１１）。それから、操作用ＰＣ１からシステムコントローラ３に対して該議席用端末１１を測定開始する指示を送る（ステップＳ１７１３）。システムコントローラ３は、議席用端末１１にアクセスし、該議席用端末１１のスピーカ４９から所定の周波数Ｘｎの音声を所定のレベルＹｍで出力するように制御する（ステップＳ１７１５）。このスピーカ４９から出力される音声を議席用端末１１のマイクロホン３９でピックアップして入力させ、この入力された音声信号をシステムコントローラ３で受信し、システムコントローラ３のＤＳＰ３ｄに供給し、ＤＳＰ３ｄで音声処理し（ステップＳ１７１７）、ハウリングが発生しているか否かを判定する（ステップＳ１７１９）。
【００５５】
該議席用端末１１がハウリングを発生していると判定された場合には、前記所定の周波数、所定のレベルをハウリング発生ポイントデータ、すなわち端末ハウリングデータとして記憶装置３ｃに記憶する（ステップＳ１７２１）。上述した処理を周波数ＸｎおよびレベルＹｍを適宜変更しながら、種々の周波数および種々のレベルについて行い、ハウリングが発生するか否かを各点について行う（ステップＳ１７２３）。
【００５６】
次に、図１８に示すフローチャートを参照して、各議席用端末１１において発生するハウリングを抑制する処理について説明する。
【００５７】
図１８においては、音声入力がある議席用端末、すなわち発言している議員の議席用端末１１のマイクロホン３９から入力される入力音声を議席用端末１１のデータ・音声入出力装置１１Ａからシステムコントローラ３のデータ・音声入出力装置３ｅで受信し、この受信した音声信号をシステムコントローラ３のＤＳＰ３ｄで処理する（ステップＳ１８１１）。ＤＳＰ３ｄで処理された音声信号は、システムコントローラ３の記憶装置３ｃに記憶されている端末ハウリングデータの該当する端末データと比較され（ステップＳ１８１３）、この比較結果に基づき、該議席用端末１１にハウリングが発生しているか否かを判断し（ステップＳ１８１５）、ハウリングが発生している場合には、システムコントローラ３のＤＳＰ３ｄでハウリングの発生しない適正な音声信号に変換し（ステップＳ１８１７）、このハウリングの発生しないように適正に変換された音声信号をシステムコントローラ３から各議席用端末１１の音声出力部１１Ｃに供給し、スピーカ４９から出力する（ステップＳ１８１９）。
【００５８】
次に、図１９に示すフローチャートを参照して、議会において順次進行する各議会運営情報、すなわち議事進行状態および時刻情報をファイルに記録するファイル記録処理について説明する。
【００５９】
このファイル記録処理は、議会運営処理のほとんどすべてがタッチパネル画面に表示された議会運営マークを指定することにより実施されるので、タッチパネル画面に表示された議会運営マークを議長または事務局員が指定した場合にこの指定された議会運営処理の名称とこの指定された時刻を操作用ＰＣ１の記憶装置１ｃにファイルとして記録することにより行われる。また、この場合に指定された議会運営マークが発言申請を行っている議員の端末マークＭ１１である場合には発言という処理名とともに発言議員名等もファイルに記録される。
【００６０】
図１９においては、まず議員の議席用端末１１から例えば発言申請スイッチ３１等の操作があるか否かがチェックされる（ステップＳ１９１１）。議席用端末１１から操作があった場合には、この議席用端末１１からのデータをシステムコントローラ３が受信し、操作用ＰＣ１に送信する（ステップＳ１９１３）。操作用ＰＣ１は、この受信した議席用端末１１からのデータを記憶装置３ｃにファイルとして記録する（ステップＳ１９１５）。
【００６１】
また、操作用ＰＣ１は、入力・表示装置１ｄからなるタッチパネル画面が操作されたか否かをチェックする（ステップＳ１９１７）。具体的には、操作用ＰＣ１は、例えばタッチパネル画面に表示された議会の開会マーク、閉会マーク、休憩マーク、審議名選択マーク、発言申請マーク、電子投票マーク等を含む複数の議会運営マークが操作されたか否かをチェックする。
【００６２】
これらの議会運営マークのいずれかが操作された場合には、この操作された議会運営マークに対応する議会運営処理名をこの操作された時刻情報とともに記憶装置３ｃにファイルとして記録する（ステップＳ１９１９）。
【００６３】
図２０は、このように記録されたファイルの一例を示す図である。このファイルには、日付、開会前とその時刻、開会とその時刻、審議名：環境汚染防止対策とその時刻、各発言とその発言者とその時刻、電子投票ソフトの開始からその終了までの各事象と時刻、発言とその発言者である議長とその時刻、閉会とその時刻が記録されている。
【００６４】
次に、図２１に示すフローチャートを参照して、発言申請マークを指定されて行われる各議員の発言をその時刻情報とともにＭＤレコーダ７により光磁気ミニディスクＭＤに記録する処理について説明する。このＭＤ記録処理は、各議員の議席マークが表示されているタッチパネル画面において発言申請マークが表示された議員の議席マークを議長または議長の指示により事務局員が指定することにより発言を許可された議員の名前およびその時刻をインデックスとして議員の音声をＭＤレコーダ７によりミニディスクＭＤに記録するものであり、書面議事録を作成するのに有効なものである。
【００６５】
図２１では、まず議会が開会されたことによりＭＤレコーダ７が録音状態に設定される（ステップＳ２１１１，Ｓ２１１３）。ＭＤレコーダ７が録音状態に設定されると、次にタッチパネル画面において各議員の議席マークに重ねて表示された発言申請マークがタッチされて、該当する議員の発言が許可されたか否かがチェックされる（ステップＳ２１１５）。発言を申請した議員の発言申請マークのある議席マークがタッチされて、その議員の発言が許可されると、その議員の議席用端末１１のマイクロホン３９がオンされて、マイク状態表示ランプ４１がオンとなり、発言可能状態になる（ステップＳ２１１７）。
【００６６】
この状態でＭＤレコーダ７にインデックス書込指示が操作用ＰＣ１から送信され、ＭＤレコーダ７によってミニディスクＭＤに発言者である議員の名前および現在時刻がインデックスとして書き込まれるとともに、議員の発言がミニディスクＭＤに記録される（ステップＳ２１１９）。議会が閉会するまで、各議員の発言がインデックスとともに記録され（ステップＳ２１２１）、議会が閉会すると、ＭＤ録音停止信号がＭＤレコーダ７に送信され、ＭＤレコーダ７は停止する（ステップＳ２１２３）。
【００６７】
なお、本実施形態では、各議員の発言等を光磁気ミニディスクＭＤに録音する場合について説明したが、この録音媒体は光磁気ミニディスクに限るものでなく、任意の記録媒体を利用することができるものである。
【００６８】
【発明の効果】
以上説明したように、請求項１記載の本発明によれば、とくに、操作用装置の音声入出力装置から所定の周波数，所定のレベルを組みとし、この組における所定の周波数，所定のレベルをそれぞれ段階的に順次可変して設定した複数組みの音声信号を各端末装置のスピーカ側に各組みごとに送信して、このスピーカから出力された各組みの音声を各端末装置のマイクロホンで各組みごとにピックアップし、このマイクロホンでピックアップした各組みの音声信号を操作用装置のデジタルシグナルプロセッサ側に送信し、このデジタルシグナルプロセッサで音声処理した各組みの音声信号にハウリングが発生しているか否かを判定し、ハウリングを起こしている組みの音声信号に対応した所定の周波数、所定のレベルを端末ハウリングデータとして各端末装置ごとに記憶装置に記憶させているので、ここで得られた各端末装置の端末ハウリングデータにより各端末装置におけるハウリングの発生状態を予め知ることができ、これに伴って各端末装置に対してハウリング防止対策を施すことが可能になる。
【００６９】
また、請求項２記載の本発明によれば、端末装置のマイクロホンから入力された議員の音声を操作用装置のデジタルシグナルプロセッサで音声処理し、このデジタルシグナルプロセッサで音声処理された音声信号を記憶装置に記憶させた該当端末装置の端末ハウリングデータと比較してハウリングが発生しているか否かを判断し、ハウリングが発生している場合にはデジタルシグナルプロセッサでハウリングの発生しない適正な音声信号に変換して各端末装置に送信しているので、発言している議員の端末装置は勿論のこと、各議員の端末装置では、発言している議員の音声をハウリングすることなく聴き易い適正な音声で聴くことができるので、各議員間で審議を円滑に推進させることができ、これに伴って議場装置の使用勝手が良好になる。
【図面の簡単な説明】
【図１】本発明の一実施形態に係る議場装置の構成を示すブロック図である。
【図２】図１に示した議場装置を構成する操作用ＰＣ、システムコントローラ、高速キャッチシステム、ＭＤレコーダ、多数の議席用端末等からなる各構成部を議会における配置状態で更に具体的に示した図である。
【図３】図１の議場装置に使用されている議席用端末の操作面の構成を示す平面図である。
【図４】図１に示した議場装置を構成している各構成部の処理手順を定めている各ソフトウェアの構成を示す説明図である。
【図５】図１に示した多数の議席用端末とシステムコントローラとの通信タイミングを示す図である。
【図６】図１の議場装置に使用されている操作用ＰＣに設けられているタッチパネル式の入力・表示装置のタッチパネル画面の表示構成を示す図である。
【図７】図１の議場装置に使用されている操作用ＰＣの入力・表示装置のタッチパネル画面に表示された審議選択画面を示す図である。
【図８】図１の議場装置に使用されている入力・表示装置のタッチパネル画面に表示された電子投票画面を示す図である。
【図９】図１の議場装置で実施される電子投票における議席用端末、システムコントローラおよび操作用ＰＣの間の処理を示す図である。
【図１０】図１の議場装置で実施される発言申請処理を示すフローチャートである。
【図１１】図１０で説明した発言申請処理において発言を許可された議員の発言時間を設定するタッチパネル画面を示す図である。
【図１２】図１の議場装置で実施される発言者追従撮影動作を示すフローチャートである。
【図１３】図１の議場装置で実施される議員の出席確認動作を示すフローチャートである。
【図１４】図１の議場装置において各議員の議席用端末の接続状態を確認して表示する動作を示すフローチャートである。
【図１５】図１の議場装置において発言者の音声を聞き取り易い最適なレベルに調整したり、突発音や雑音等を抑制するアナウンスプロセッサの動作を示すフローチャートである。
【図１６】図１の議場装置において各議席用端末とシステムコントローラとの通信状態および各議席用端末における音声信号の入出力状態の自動点検動作を示すフローチャートである。
【図１７】図１の議場装置において各議席用端末におけるハウリングの自動測定動作を示すフローチャートである。
【図１８】図１の議場装置において各議席用端末において発生するハウリングを抑制する処理を示すフローチャートである。
【図１９】図１の議場装置において議会で順次進行する各議会運営情報、すなわち議事進行状態および時刻情報をファイルに記録するファイル記録処理を示すフローチャートである。
【図２０】図１９で説明したファイル記録処理で記録されたファイルの一例を示す図である。
【図２１】図１の議場装置において発言申請マークを指定されて行われる各議員の発言をその時刻情報とともにＭＤレコーダにより光磁気ミニディスクＭＤに記録する処理を示すフローチャートである。
【符号の説明】
１  操作用ＰＣ
１ａ  データ入出力装置
１ｂ  中央処理装置
１ｃ，３ｃ  記憶装置
１ｄ  入力・表示装置（タッチパネル画面）
３  システムコントローラ
３ｄ  デジタルシグナルプロセッサ（ＤＳＰ）
３ｅ，１１Ａ  データ・音声入出力装置
５  高速キャッチシステム
９  ＭＤレコーダ
１１，１１ａ〜１１ｚ  議席用端末
１１Ｃ  音声出力部
１１Ｄ  音声入力部
１１Ｅ  信号入力部
１１Ｆ  表示部
３１  発言申請スイッチ
３３Ｓ  賛成スイッチ
３５Ｓ  反対スイッチ
３７Ｓ  取消スイッチ
３９  マイクロホン
４１  マイク状態表示ランプ
４９  スピーカ
５１  高速追従カメラ
５５  出席スイッチ
Ｍ１１  端末マーク
【図１】
0003617355.tif 000002
【図２】
0003617355.tif 000003
【図３】
0003617355.tif 000004
【図４】
0003617355.tif 000005
【図５】
0003617355.tif 000006
【図６】
0003617355.tif 000007
【図７】
0003617355.tif 000008
【図８】
0003617355.tif 000009
【図９】
0003617355.tif 000010
【図１０】
0003617355.tif 000011
【図１１】
0003617355.tif 000012
【図１２】
0003617355.tif 000013
【図１３】
0003617355.tif 000014
【図１４】
0003617355.tif 000015
【図１５】
0003617355.tif 000016
【図１６】
0003617355.tif 000017
【図１７】
0003617355.tif 000018
【図１８】
0003617355.tif 000019
【図１９】
0003617355.tif 000020
【図２０】
0003617355.tif 000021
【図２１】
0003617355.tif 000022